(57)【要約】【課題】  シャワー吐水の勢いを維持しつつ、シャワー吐水された水の水はねを抑制することが可能な水栓装置を提供することを目的とする。【解決手段】  本発明は、給水された水を吐水するシャワー装置であって、シャワーヘッドと、シャワーヘッドの先端部に配置され、シャワー吐水を行う複数の散水孔が設けられた散水板と、を備え、前記散水板の中央部には中央領域が設けられ、前記散水孔は、前記散水板の前記中央領域の外周領域に設けられた複数の第１散水孔と、複数の第２散水孔と、を有し、前記複数の第１散水孔がそれぞれ吐水する水の瞬間流量の合計が、前記複数の第２散水孔がそれぞれ吐水する水の瞬間流量の合計よりも大きく、前記複数の第２散水孔は、前記散水板の中心軸に対して前記複数の第１散水孔が吐水する方向に比べて、前記中心軸から傾斜して離れる方向へ吐水するシャワー装置である。【選択図】  図２
2014211036.tif 000002
【特許請求の範囲】
【請求項１】
給水された水を吐水するシャワー装置であって、
シャワーヘッドと、シャワーヘッドの先端部に配置され、シャワー吐水を行う複数の散水孔が設けられた散水板と、を備え、
前記散水板の中央部には中央領域が設けられ、
前記散水孔は、
前記散水板の前記中央領域の外周領域に設けられた複数の第１散水孔と、
複数の第２散水孔と、を有し、
前記複数の第１散水孔がそれぞれ吐水する水の瞬間流量の合計が、前記複数の第２散水孔がそれぞれ吐水する水の瞬間流量の合計よりも大きく、
前記複数の第２散水孔は、前記散水板の中心軸に対して前記複数の第１散水孔が吐水する方向に比べて、前記中心軸から傾斜して離れる方向へ吐水するシャワー装置。
【請求項２】
前記複数の第１散水孔の流路断面積の合計は、前記複数の第２散水孔の流路断面積の合計よりも大きい請求項１に記載のシャワー装置。
【請求項３】
前記第１散水孔の孔径は、前記第２散水孔の孔径よりも大きい請求項１又は２に記載のシャワー装置。
【請求項４】
前記第１散水孔は、前記散水板の中心軸と平行をなす方向に形成され、
前記第２散水孔は、前記散水板の中心軸と交差する方向に形成されている請求項１乃至３のいずれか１項に記載のシャワー装置。
【請求項５】
前記複数の第１散水孔と前記複数の第２散水孔とは、同一円心上に設けられる請求項１乃至４のいずれか１項に記載のシャワー装置。
【請求項６】
前記複数の第１散水孔及び前記複数の第２散水孔は、前記中央領域を中心とした周方向に沿って所定のピッチをもって配置されている請求項５に記載のシャワー装置。
【請求項７】
前記複数の第１散水孔は、大径散水孔と、小径散水孔と、を有し、
前記小径散水孔の孔径は、前記大径散水孔の孔径より小さく、かつ、前記第２散水孔の穴径より大きく、
前記中央領域から前記散水板の外方への方向において、前記小径散水孔は前記大径散水孔よりも外側に配置されている請求項１乃至６のいずれか１項に記載のシャワー装置。
【請求項８】
前記複数の第１散水孔が形成される第１散水領域と、前記複数の第２散水孔が形成される第２散水領域と、を有し、
前記第１散水領域は前記中央領域を取り囲む領域に設けられ、
前記第２散水領域は、前記第１散水領域を取り囲む領域に設けられている請求項１乃至７のいずれか１項に記載のシャワー装置。
【請求項９】
前記第１散水孔が形成される複数の第１散水領域と、前記第２散水孔が形成される複数の第２散水領域とを有し、
前記中央領域を中心とした周方向に沿って、前記複数の第１散水領域の各々と前記複数の第２散水領域の各々とは、互いに交互に配置されている請求項１乃至７のいずれか１項に記載のシャワー装置。
【請求項１０】
前記散水板の前記中央領域には、水を束状に集中させて吐水するストレート吐水を行うストレート吐水部が設けられ、
前記複数の散水孔及び前記ストレート吐水部の一方を吐水状態に設定するとともに他方を止水状態に設定して吐水を切替える切替手段を備える請求項１乃至９のいずれか１項に記載のシャワー装置。
【発明の詳細な説明】
【技術分野】
【０００１】
本発明は、給水された水を吐水するシャワー装置に関する。
【背景技術】
【０００２】
従来、給水された水を吐水するシャワー装置として、洗面化粧台やキッチン等に設けられ、シャワー吐水を行う複数の散水孔が設けられた散水板を備えたものが知られている（例えば、特許文献１参照。）。
【先行技術文献】
【特許文献】
【０００３】
【特許文献１】特開２０００−０２７２４７号公報
【発明の概要】
【発明が解決しようとする課題】
【０００４】
上述したシャワー装置においては、シャワー吐水された水が着水する着水面、例えば、洗面化粧台の洗面ボウルやキッチンのシンクに水が当たって跳ね返り、この水はねにより周囲や使用者を濡らしてしまうという問題があった。シャワー吐水の勢いを弱めることで、着水面における水はねを抑制することができるが、その場合、シャワー吐水による洗浄力が低下してしまう。
【０００５】
本発明は、上述した問題を解決するためになされたものであり、シャワー吐水の勢いを維持しつつ、シャワー吐水された水の水はねを抑制することが可能な水栓装置を提供することを目的とする。
【課題を解決するための手段】
【０００６】
本発明は、給水された水を吐水するシャワー装置であって、シャワーヘッドと、シャワーヘッドの先端部に配置され、シャワー吐水を行う複数の散水孔が設けられた散水板と、を備え、前記散水板の中央部には中央領域が設けられ、前記散水孔は、前記散水板の前記中央領域の外周領域に設けられた複数の第１散水孔と、複数の第２散水孔と、を有し、前記複数の第１散水孔がそれぞれ吐水する水の瞬間流量の合計が、前記複数の第２散水孔がそれぞれ吐水する水の瞬間流量の合計よりも大きく、前記複数の第２散水孔は、前記散水板の中心軸に対して前記複数の第１散水孔が吐水する方向に比べて、前記中心軸から傾斜して離れる方向へ吐水するシャワー装置である。
【０００７】
このように構成された本発明においては、複数の第１散水孔がそれぞれ吐水する水の瞬間流量の合計が複数の第２散水孔がそれぞれ吐水する水の瞬間流量の合計よりも大きいため、瞬間流量の大きな第１散水孔から吐水される水の外側に、第２散水孔から吐水される水の層を形成することで、流量の大きな第１散水孔から吐水される水の外側への水はねを遮断することができる。
また、中央領域の外周領域に第１散水孔を設けることで、水が着水面に着水した際、水が互いにぶつかり合い、逃げ場を失った水流がその中央側へと集合する。そのため、中央部が最も高く、その中央部から放射状に広がる山型の水流が形成される。さらに、複数の第２散水孔は、散水板の中心軸に対して複数の第１散水孔が吐水する方向に比べて、中心軸から傾斜して離れる方向へ吐水するため、複数の第１散水孔からの吐水により形成される山型の水流の外側への流れに沿う形で水流へと着水する。これにより、第２散水孔から吐水される水は山形の水流と合流して外側へ押し流され、従って、着水面への着水による水はねを抑制することができる。
【０００８】
本発明は、さらに、前記複数の第１散水孔の流路断面積の合計は、前記複数の第２散水孔の流路断面積の合計よりも大きい構成としてもよい。
【０００９】
このように構成された本発明においては、第１散水孔から吐水される水の瞬間流量よりも、第２散水孔から吐水される水の瞬間流量が小さくなるため、複数の第１散水孔からの吐水により形成される山型の水流が、第２散水孔から吐水される水を押し流す。従って、着水面への着水による水はねを抑制することができる。
【００１０】
本発明は、さらに、前記第１散水孔の孔径は、前記第２散水孔の孔径よりも大きい構成としてもよい。
【００１１】
このように構成された本発明においては、第１散水孔から吐水される水の瞬間流量よりも、第２散水孔から吐水される水の瞬間流量が小さくなるため、複数の第１散水孔からの吐水により形成される山型の水流が、第２散水孔から吐水される水を押し流す。従って、着水面への着水による水はねを抑制することができる。
【００１２】
本発明は、さらに、前記第１散水孔は、前記散水板の中心軸と平行をなす方向に形成され、前記第２散水孔は、前記散水板の中心軸と交差する方向に形成されている構成としてもよい。
【００１３】
このように構成された本発明においては、第１散水孔は散水板の中心軸方向へ向けて水を吐水するため着水面に対してより山型の水流を形成しやすくなる。従って、着水面への着水による水はねをより確実に抑制することができる。
【００１４】
本発明は、さらに、前記複数の第１散水孔と前記複数の第２散水孔とは、同一円心上に設けられる構成としてもよい。
【００１５】
このように構成された本発明においては、山型の水流に第２散水孔が吐水した水を着水させやすくなるため、水面への着水による水はねをより確実に抑制することができる。
【００１６】
本発明は、さらに、前記複数の第１散水孔及び前記複数の第２散水孔は、前記中央領域を中心とした周方向に沿って所定のピッチをもって配置されている構成としてもよい。
【００１７】
このように構成された本発明においては、より確実に山型の水流が形成される。従って、着水面への着水による水はねをより確実に抑制することができる。
【００１８】
本発明は、さらに、前記複数の第１散水孔は、大径散水孔と、小径散水孔と、を有し、
前記小径散水孔の孔径は、前記大径散水孔の孔径より小さく、かつ、前記第２散水孔の穴径より大きく、前記中央領域から前記散水板の外方への方向において、前記小径散水孔は前記大径散水孔よりも外側に配置されている構成としてもよい。
【００１９】
このように構成された本発明においては、より内側の中央領域に近い位置における大径散水孔から吐水される水の瞬間流量が、外側に設けられた小径散水孔から吐水される水の瞬間流量よりも大きくなる。そのため、着水面の中央部に近い位置にて着水する水の瞬間流量が増え、山型の水流がより確実に形成される。また、より外側の小径散水孔からの吐水により、内側の大径散水孔が着水することによる外側への水はねを遮断する。
【００２０】
本発明は、さらに、前記複数の第１散水孔が形成される第１散水領域と、前記複数の第２散水孔が形成される第２散水領域と、を有し、前記第１散水領域は前記中央領域を取り囲む領域に設けられ、前記第２散水領域は、前記第１散水領域を取り囲む領域に設けられている構成としてもよい。
【００２１】
このように構成された本発明においては、第１散水孔が吐水する水と第２散水孔が吐水する水とが互いにぶつかり合うことが抑制されるため、水が飛散することを抑制することができる。また、第２散水孔が吐水する水の方向をより散水板の中心軸から離れる方向に構成することができ、より広い範囲にシャワー吐水を行うことができる。
【００２２】
本発明は、また、前記第１散水孔が形成される複数の第１散水領域と、前記第２散水孔が形成される複数の第２散水領域とを有し、前記中央領域を中心とした周方向に沿って、前記複数の第１散水領域の各々と前記複数の第２散水領域の各々とは、互いに交互に配置されている構成としてもよい。
【００２３】
このように構成された本発明においては、複数の第１散水領域と複数の第２散水領域とが、中央領域を中心とした周方向に沿って交互に配置されるため、第１散水領域と第２散水領域を周方向に沿って配置しない場合に比べて散水板の小型化が可能となる。
【００２４】
本発明は、さらに、前記散水板の前記中央領域には、水を束状に集中させて吐水するストレート吐水を行うストレート吐水部が設けられ、前記複数の散水孔及び前記ストレート吐水部の一方を吐水状態に設定するとともに他方を止水状態に設定して吐水を切替える切替手段を備える構成としてもよい。
【００２５】
このように構成された本発明においては、水を束状に集中させて吐水することができるとともに、ストレート吐水部によるストレート吐水と複数の散水孔によるシャワー吐水とが同時に行われないため、より確実に山型の水流を形成することができる。
【発明の効果】
【００２６】
本発明の水栓装置によれば、シャワー吐水の勢いを維持しつつ、シャワー吐水された水の水はねを抑制することが可能となる。
【図面の簡単な説明】
【００２７】
【図１】本発明の一実施形態に係るシャワー装置を示す外観斜視図。
【図２】（ａ）は本発明の一実施形態であるシャワー装置のシャワーヘッド１２０を示す底面図。（ｂ）（ａ）の部分拡大図。
【図３】（ａ）は図２（ａ）における散水板形成部材のＣ−Ｃ断面図。（ｂ）（ａ）の部分拡大図。
【図４】本発明の一実施形態であるシャワー装置がシャワー吐水を行っている状態を模式的に示す概略正面図。
【図５】本実施形態におけるシャワー装置の水はねの量を示す棒グラフ。
【図６】本発明の一実施形態におけるシャワー装置の変形例の散水孔を示す部分拡大図。
【発明を実施するための形態】
【００２８】
以下、図面を参照して本発明の一実施形態に係るシャワー装置について説明する。
まず、図１により本発明の一実施形態に係るシャワー装置１００の構成について説明する。図１は本発明の一実施形態に係るシャワー装置１００を示す外観斜視図である。
【００２９】
図１に示すように、本発明の一実施形態に係るシャワー装置１００は、洗面化粧台の立壁部２００から前方へ向けて突出するシャワーヘッド１２０と、このシャワーヘッド１２０の先端部に設けられ水を吐水する吐水部１４０とを備える。また、シャワー装置１００は、立壁部２００に設けられるレバーハンドル（図示せず）を操作することで、吐水部１４０から吐水する水の流量及び温度を調整可能に構成される。
【００３０】
シャワーヘッド１２０の先端部は前側かつ下側へと突出しており、シャワーヘッド１２０の基端部（立壁部２００側の端部）には、可撓性を備えるホース（図示せず）が接続されている。このホース（図示せず）を介してシャワーヘッド１２０内の通水路（図示せず）へと給水源（図示せず）から水が給水される。また、シャワーヘッド１２０は、立壁部２００から着脱可能ないわゆるプルアウトタイプの水栓として構成されており、使用者がシャワーヘッド１２０を引き抜くことで、シャワーヘッド１２０とともにホース（図示せず）が立壁部２００から引き出される。
【００３１】
吐水部１４０は、シャワーヘッド１２０の先端に挿入固定されている散水板形成部材１６０と、この散水板形成部材１６０の外周を外覆する切替部材１８０（切替手段）とを有する。散水板形成部材１６０については後述する。切替部材１８０はその外周にリブ１８２を複数有し、散水板形成部材１６０の周方向に向けて回転可能に設けられている。使用者が切替部材１８０を回転操作することで吐水部１４０から吐水される水の吐水形態を、水を束状に集中させて吐水するストレート吐水、又は、水をシャワー状に吐水するシャワー吐水の一方に切替えることが可能なように構成されている。
【００３２】
次に、図２及び図３により本発明の一実施形態であるシャワー装置１００における散水板形成部材１６０について説明する。図２（ａ）は本発明の一実施形態であるシャワー装置１００のシャワーヘッド１２０を示す底面図であり、図２（ｂ）は図２（ａ）の部分拡大図であり、図３（ａ）は図２（ａ）における散水板形成部材１６０のＣ−Ｃ断面図であり、図３（ｂ）は図３（ａ）の部分拡大図である。
【００３３】
図２（ａ）に示すように、散水板形成部材１６０の下面は、その中央部に設けられる円状の中央領域Ａ（図２（ａ）における斜線部分）と、この中央領域Ａを取り囲む円環状の外周領域Ｂ（図２（ａ）における散水板形成部材１６０の下面の斜線部分を除く部分）とを有する。中央領域Ａには、ストレート吐水を行うストレート吐水部１６２が設けられる。外周領域Ｂには、シャワー吐水を行う複数の散水孔１６４が設けられる。また、図２（ｂ）に示すように、外周領域Ｂは、複数の第１散水領域Ｂ２と、複数の第２散水領域Ｂ４とを有し、中央領域Ａを中心とした円周方向に沿って、複数の第１散水領域Ｂ２の各々と複数の第２散水領域Ｂ４の各々とは、互いに交互に配置される。
【００３４】
散水孔１６４は、中央領域Ａを中心とした円周方向に沿って所定のピッチ（例えば、６度ごと）で円周状に形成した散水孔列１６５として設けられる。散水孔列１６５は、外側散水孔列１６５ａと、この外側散水孔列１６５ａよりも内側（中央領域Ａ側）であって同心円状に設けられる内側散水孔列１６５ｂとからなる。また、散水孔１６４は、第１散水領域Ｂ２に形成される複数の第１散水孔１６４ａと、第２散水領域Ｂ４に形成される第１散水孔１６４ａと同数の第２散水孔１６４ｂとを有する。即ち、第１散水孔１６４ａと第２散水孔１６４ｂとは同一円心上に、中央領域Ａを中心とする円周方向に沿って所定のピッチをもって互いに交互に配置される散水孔列１６５として設けられ、この散水孔列１６５は同心円状に２列設けられる。
【００３５】
図３（ａ）に示すように、散水板形成部材１６０は、同心円状に形成された外筒部１６６及び内筒部１６８を備え、全体として略円筒状に構成される。また、散水板形成部材１６０内部には、流路形成部材（図示せず）及び切替弁（図示せず）が設けられる。
【００３６】
外筒部１６６は一端（図３（ａ）における上端）が開口した略円筒形状に形成され、その他端部（図３（ａ）における下端部）には、外筒部１６６の内外を連通させる貫通孔である複数の散水孔１６４が穿設される。即ち、散水板形成部材１６０の端部は、複数の散水孔１６４が設けられた散水板として機能する。内筒部１６８は外筒部１６６の内底部から、外筒部１６６の開口端に向けて立設され両端が開口した略円筒形状に形成され、その外筒部１６６側の開口がストレート吐水部１６２として機能するよう構成される。
【００３７】
流路形成部材（図示せず）は、外筒部１６６及び内筒部１６８とともに、ストレート吐水部１６２へ水を導く流路及び複数の散水孔１６４へ水を導く流路を形成し、シャワーヘッド１２０内に設けられた通水路（図示せず）から水の供給を受ける。切替弁（図示せず）は切替部材１８０の回転に応じて移動する弁部材であり、ストレート吐水部１６２へ水を導く流路及び複数の散水孔１６４へ水を導く流路の一方を開放し、他方を閉鎖することで、ストレート吐水部１６２及び複数の散水孔１６４の一方を吐水状態に設定するとともに他方を止水状態に設定して吐水を切替える。
【００３８】
図２（ａ）及び（ｂ）に示すように、第１散水孔１６４ａは、小径散水孔１６４ａ１と、大径散水孔１６４ａ２とを有する。小径散水孔１６４ａ１の孔径は大径散水孔１６４ａ２より小さく、例えば、０．５ｍｍである。大径散水孔１６４ａ２の孔径は小径散水孔１６４ａ１より大きく、例えば、０．６ｍｍである。小径散水孔１６４ａ１は、第１散水領域Ｂ２において、大径散水孔１６４ａ１よりも外側（中央領域Ａ側の逆側）に形成され、第２散水領域Ｂ４に形成される第２散水孔１６４ｂの一方とともに、外側散水孔列１６５ａを構成する。同様に、大径散水孔１６４ａ２は、第１散水領域Ｂ２において、小径散水孔１６４ａ１よりも内側（中央領域Ａ側）に形成され、第２散水領域Ｂ４に形成される第２散水孔１６４ｂの他方とともに、外側散水孔列１６５ａを構成する。また、図３（ａ）及び（ｂ）に示すように、第１散水孔１６４ａは、散水板形成部材１６０の中心軸Ｒと平行をなす方向に形成される。ここで、散水板形成部材１６０の中心軸Ｒとは、散水板形成部材１６０の下面と、その中心で直交する軸である。
【００３９】
図２（ａ）及び（ｂ）に示すように、第２散水孔１６４ｂは、その孔径が小径散水孔１６４ａ１より小さく、例えば０．４ｍｍである。また、図３（ａ）及び（ｂ）に示すように、第２散水孔１６４ｂは、散水板形成部材１６０の中心軸Ｒと交差する方向で、かつ、散水板形成部材１６０内部側から外部側（図３における上側から下側）に向けて中心軸Ｒから離れる方向へ傾斜して形成される。
【００４０】
上述したように、第１散水孔１６４ａ（小径散水孔１６４ａ１、大径散水孔１６４ａ２）の孔径は、第２散水孔１６４ｂの孔径よりも大きく、第１散水孔１６４ａと第２散水孔１６４ｂとは同数形成されるため、複数の第１散水孔１６４ａの流路断面積の合計は、複数の第２散水孔１６４ｂの流路断面積の合計よりも大きくなる。このような構成により、複数の第１散水孔１６４ａがそれぞれ吐水する水の瞬間流量の合計が、複数の第２散水孔１６４ｂがそれぞれ吐水する水の瞬間流量の合計よりも大きくなるようにしている。第１散水孔１６４ａがそれぞれ吐水する水の瞬間流量の合計と、複数の第２散水孔１６４ｂがそれぞれ吐水する水の瞬間流量の合計との比は、例えば、７対３である。
【００４１】
なお、本実施形態において、第１散水孔１６４ａと第２散水孔１６４ｂとを同数形成し、第１散水孔１６４ａの孔径を第２散水孔１６４ｂの孔径よりも大きくすることで、複数の第１散水孔１６４ａがそれぞれ吐水する水の瞬間流量の合計が、複数の第２散水孔１６４ｂがそれぞれ吐水する水の瞬間流量の合計よりも大きくなるようにしているが、本発明はこのような構成に限定されるものではない。例えば、第１散水孔１６４ａの孔径と第２散水孔１６４ｂの孔径とが同一になるように複数の散水孔１６４を形成し、第１散水孔１６４ａに流入する水の勢いよりも第２散水孔１６４ｂに流入する水の勢いを低下させるよう形成された水勢減衰部材を散水板形成部材１６０内部に設けることで、第１散水孔１６４ａがそれぞれ吐水する水の瞬間流量の合計が、複数の第２散水孔１６４ｂがそれぞれ吐水する水の瞬間流量の合計よりも大きくなるようにしてもよい。
【００４２】
また、第１散水孔１６４ａが吐水する水の方向は散水板形成部材１６０の中心軸Ｒと平行な方向となり、第２散水孔１６４ｂが吐水する水の方向は中心軸Ｒから傾斜して離れる方向となる。即ち、複数の第２散水孔１６４ｂは、散水板形成部材１６０の中心軸Ｒに対して複数の第１散水孔１６４ａが吐水する方向に比べて、中心軸Ｒから傾斜して離れる方向へ吐水する。
【００４３】
次に、図１〜図４により本発明の一実施形態であるシャワー装置１００の動作について説明する。図４は本発明の一実施形態であるシャワー装置１００がシャワー吐水を行っている状態を模式的に示す概略正面図である。
【００４４】
まず、使用者が立壁部２００に設けられるレバーハンドル（図示せず）及び切替部材１８０を操作し、複数の散水孔１６４を吐水状態に設定し、ストレート吐水部１６２を止水状態に設定すると、給水源（図示せず）から給水された水がシャワーヘッド１２０の通水路（図示せず）、及び、散水板形成部材１６０内を通過し、複数の散水孔１６４からシャワー状に水が吐水されるシャワー吐水が行われる。
【００４５】
図４に示すように、シャワー吐水が開始されると、シャワー吐水が着水する着水面である洗面ボウル底面４００に向けて、第１散水孔１６４ａの小径散水孔１６４ａ１から小径ストレートシャワー吐水Ｗｓ１が、第１散水孔１６４ａの大径散水孔１６４ａ２から大径ストレートシャワー吐水Ｗｓ２が、第２散水孔１６４ｂから放射シャワー吐水Ｗｅが、それぞれ吐水される。
【００４６】
洗面ボウル底面４００に着水した小径ストレートシャワー吐水Ｗｓ１及び大径ストレートシャワー吐水Ｗｓ２は、その着水した場所から周囲へと広がっていく。広がった水流は、内側（散水板形成部材１６０を洗面ボウル底面に投影した際の中央領域Ａ側）では互いにぶつかり合って逃げ場をなくし洗面ボウル底面４００から離れるように上方へと盛り上がり、外側（散水板形成部材１６０を洗面ボウル底面に投影した際の外周領域Ｂ側）では互いに合流し放射状に広がっていく。その結果、洗面ボウル底面４００には盛り上がった中央部から外側かつ下側（洗面ボウル底面４００側）へ向けて放射状に広がる山型水流Ｗｍが形成される。
【００４７】
また、大径散水孔１６４ａ２から吐水される大径ストレートシャワー吐水Ｗｓ２が洗面ボウル底面４００に当たることで生じる外側へ向かう水はねは、小径散水孔１６４ａ１から吐水される小径ストレートシャワー吐水Ｗｓ１により遮断されることで外側へ飛散することが抑制される。
【００４８】
第２散水孔１６４ｂから吐水される放射シャワー吐水Ｗｅは、山型水流Ｗｍに着水する。この際、複数の第１散水孔１６４ａがそれぞれ吐水する水の瞬間流量の合計が、複数の第２散水孔１６４ｂがそれぞれ吐水する水の瞬間流量の合計よりも大きいため、放射シャワー吐水Ｗｅは山型水流Ｗｍの中央部から外側かつ下側へ向かう水流に押し流される。
【００４９】
また、小径散水孔１６４ａ１から吐水される小径ストレートシャワー吐水Ｗｓ１、及び、大径散水孔１６４ａ２から吐水される大径ストレートシャワー吐水Ｗｓ２が洗面ボウル底面４００に当たることで生じる外側へ向かう水はねは、放射シャワー吐水Ｗｅにより遮断されることで外側へ飛散することが抑制される。
【００５０】
上述した本発明の一実施形態によるシャワー装置１００によれば、散水板形成部材１６０の中央領域Ａを取り囲む外周領域Ｂに複数の第１散水孔１６４ａが設けられているため、複数の第１散水孔１６４からの小径ストレートシャワー吐水Ｗｓ１及び大径ストレートシャワー吐水Ｗｓ２により着水面に山型水流Ｗｍを形成することができる。さらに、複数の第１散水孔１６４ａがそれぞれ吐水する水の瞬間流量の合計が、複数の第２散水孔１６４ｂがそれぞれ吐水する水の瞬間流量の合計よりも大きいため、複数の第１散水孔１６４からの吐水Ｗｓ１、Ｗｓ２により形成される山型水流Ｗｍが、複数の第２散水孔１６４ｂから吐水される放射シャワー吐水Ｗｅを押し流す。また、複数の第２散水孔１６４ｂは、散水板形成部材１６０の中心軸Ｒに対して複数の第１散水孔１６４ａが吐水する方向に比べて、中心軸Ｒから傾斜して離れる方向へ吐水するため、複数の第２散水孔１６４ｂから吐水される水により複数の第１散水孔１６４ａから吐水される水の外側へ向けた水はねを遮断することができる。従って、着水面への着水による水はねを抑制することができる。
【００５１】
さらに、上述した本発明の一実施形態によるシャワー装置１００によれば、第１散水孔１６４ａと第２散水孔１６４ｂとを同数であって、第１散水孔１６４ａの孔径が第２散水孔１６４ｂの孔径よりも大きくなるよう形成している。そのため、他の部材を追加する等せず容易に複数の第１散水孔１６４ａがそれぞれ吐水する水の瞬間流量の合計を、複数の第２散水孔１６４ｂがそれぞれ吐水する水の瞬間流量の合計よりも大きくすることができる。
【００５２】
また、上述した本発明の一実施形態によるシャワー装置１００によれば、第１散水孔１６４ａは散水板形成部材１６０の中心軸Ｒと平行をなす方向に形成され、第２散水孔１６４ｂは散水板形成部材１６０の中心軸Ｒと交差する方向に形成されている。そのため、散水板形成部材１６０の下面を着水面に向けることで、第１散水孔１６４ａが吐水する水を着水面に対してより直角に近い角度で着水させることができ、より確実に山型水流Ｗｍを形成し、水はねを抑制することができる。なお、本実施形態においては、第１散水孔１６４ａは散水板形成部材１６０の中心軸Ｒと平行をなす方向に形成されるが、本発明はこのような構成に限定されるものではない。例えば、第１散水孔１６４ａは散水板形成部材１６０の中心軸Ｒと略平行をなす方向に形成する構成としてもよい。ここでいう略平行とは、散水板形成部材１６０の中心軸Ｒに対して、製造工程上生じる微差を許容するとともに、着水面に第１散水孔１６４ａが吐水する水が着水した際に山型水流Ｗｍを形成することが可能な程度に傾斜した方向を含むものである。
【００５３】
また、上述した本発明の一実施形態によるシャワー装置１００によれば、複数の第１散水孔１６４ａと複数の第２散水孔１６４ｂとは、同一円心上に設けられる。そのため、山型水流Ｗｍの中心軸と、第２散水孔１６４ｂによる放射シャワー吐水Ｗｅの外側へ向けた放射の中心軸とが同一になりやすく、放射シャワー吐水Ｗｅをより確実に山型水流Ｗｍに着水させることができる。さらに、複数の第１散水孔１６４ａ及び複数の第２散水孔１６４ｂは、中央領域Ａを中心とした円周方向に沿って所定のピッチをもって配置されているため、所定のピッチをもって配置されない場合に比べて、より山型水流Ｗｍの中心部に水流が集まりやすく、山型水流Ｗｍをより確実に形成し、水はねを抑制することができる。
【００５４】
また、上述した本発明の一実施形態によるシャワー装置１００によれば、複数の第１散水孔１６４ａは、大径散水孔１６４ａ２と、この大径散水孔１６４ａ２よりも孔径が小さく、かつ、第２散水孔１６４ｂよりも孔径が大きい小径散水孔１６４ａ１とを有し、第１散水孔１６４ａの方がより中央領域Ａに近い位置に配置されている。そのため、より内側の中央領域Ａに近い位置における大径散水孔１６４ａ２から吐水される水の瞬間流量が、より外側の小径散水孔１６４ａ１から吐水される水の瞬間流量よりも大きくなる。従って、山型水流Ｗｍの中央部により近い位置に着水する水の瞬間流量が増え、山型水流Ｗｍがより確実に形成される。また、より外側の小径散水孔１６４ａ１からの小径ストレートシャワー吐水Ｗｓ１により、内側の大径散水孔１６４ａ２からの大径ストレートシャワー吐水Ｗｓ２が着水することによる外側への水はねを遮断し抑制することができる。
【００５５】
また、上述した本発明の一実施形態によるシャワー装置１００によれば、第１散水孔１６４ａが形成される複数の第１散水領域Ｂ２と、第２散水孔１６４ｂが形成される複数の第２散水領域Ｂ４とを有し、中央領域Ａを中心とした円周方向に沿って、複数の第１散水領域Ｂ２の各々と複数の第２散水領域Ｂ４の各々とは、互いに交互に配置されている。そのため、第１散水領域Ｂ２及び第２散水領域Ｂ４をともに周方向に沿って配置しない場合に比べて散水板形成部材１６０の小型化が可能となる。
【００５６】
さらに、上述した本発明の一実施形態によるシャワー装置１００によれば、中央領域Ａには、水を束状に集中させて吐水するストレート吐水を行うストレート吐水部１６２が設けられ、複数の散水孔１６４及びストレート吐水部１６２の一方を吐水状態に設定するとともに他方を止水状態に設定して吐水を切替える切替部材１８０を備える。そのため、水を束状に集中させて吐水することができるとともに、ストレート吐水部１６２によるストレート吐水と複数の散水孔１６４によるシャワー吐水とが同時に行われないため、より確実に山型水流Ｗｍを形成し、水はねを抑制することができる。
【００５７】
上述したように、本発明の一実施形態によるシャワー装置１００によれば、シャワー吐水が着水面に着水することによる水はねを抑制することができる。この水はねの抑制により、図５に示すように、比較例に比べて本実施形態によると水はねの量を約６０％低減することができる。ここで、図５は本実施形態におけるシャワー装置１００の水はねの量を示す棒グラフである。なお、図５に示す比較例におけるシャワー装置は、複数の散水孔が小径散水孔１６４ａ１のみからなる点を除いて、上述した本発明の一実施形態におけるシャワー装置１００と同一の構成を備えている。
【００５８】
なお、本実施形態において、散水孔１６４は円周状に形成した散水孔列１６５として設けられるが、本発明はこのような構成に限定されるものではなく、山型水流Ｗｍを形成することができる範囲にて適宜設けられ、例えば、矩形状や楕円状に形成した散水孔列として設けられる構成としてもよい。また、本実施形態において、散水孔１６４は所定のピッチをもって形成されるが、本発明はこのような構成に限定されるものではなく、山型水流Ｗｍを形成できる範囲にて隣り合う各散水孔１６４の間隔を適宜設定してもよい。さらに、第２散水孔１６４ｂから吐水される水の方向は、散水板形成部材１６０の中心軸Ｒに対して複数の第１散水孔１６４ａが吐水する方向に比べて、中心軸Ｒから傾斜して離れる方向であればよく、例えば、放射シャワー吐水Ｗｅが、山型水流Ｗｍの放射状に広がる外側部分に着水する方向とすることができる。山型水流Ｗｍの放射状に広がる外側部分に放射シャワー吐水Ｗｅが着水することで、山型水流Ｗｍの中央部に着水する場合に比べて、外側へ流れる山型水流Ｗｍと合流して外側へと流れやすくなり、水はねを抑制することができる。
【００５９】
さらに、本実施形態において、複数の第１散水領域Ｂ２にはそれぞれ２つずつ第１散水孔１６４ａが設けられ、複数の第２散水領域Ｂ４にはそれぞれ２つずつ第２散水孔１６４ｂが設けられるが、本発明はこのような構成に限定されるものではない。例えば、複数の第１散水領域Ｂ２のそれぞれに１つ又は３つ以上の第１散水孔１６４ａが設けられる構成や、複数の第２散水領域Ｂ４のそれぞれに１つ又は３つ以上の第２散水孔１６４ｂが設けられる構成としてもよい。また、本実施形態において、複数の第２散水孔１６４ｂは外周領域Ｂに設けられるが、本発明はこのような構成に限定されるものではない。例えば、中央領域Ａにストレート吐水部１６２を設けず、ストレート吐水部１６２に替えて中央領域Ａに複数の第２散水孔１６４ｂを設ける構成としてもよい。さらに、本発明において、第２散水孔１６４ｂの形成される方向は、放射シャワー吐水Ｗｅが、中心軸Ｒに対するストレートシャワー吐水Ｗｓ１、Ｗｓ２の方向に比べて、中心軸Ｒから傾斜して離れる方向へ吐水する限りにおいて、適宜設定することができる。例えば、放射シャワー吐水Ｗｅが、山型水流Ｗｍの放射状に広がる外側部分に着水するよう形成する。山型水流Ｗｍの放射状に広がる外側部分に放射シャワー吐水Ｗｅが着水することで、山型水流Ｗｍの中央部に着水する場合に比べて、外側へ流れる山型水流Ｗｍと合流して外側へと流れやすくなり、水はねを抑制することができる。
【００６０】
また、本実施形態において第１散水領域Ｂ２及び第２散水領域Ｂ４はそれぞれ複数設けられるが、本発明はこのような構成に限定されるものではない。例えば、図６に示すように、散水板形成部材１６０下面が、中央領域Ａを取り囲む第１散水領域Ｂ６と、この第１散水領域Ｂ６を取り囲む第２散水領域Ｂ８とを有する構成としてもよい。
【００６１】
次に、図６により上述した本発明の一実施形態におけるシャワー装置１００の変形例について説明する。図６は本発明の一実施形態におけるシャワー装置１００の変形例の散水孔を示す部分拡大図である。この変形例において、上述した一実施形態と同一部分には同一符号を付し、説明を省略するとともに、異なる部分のみ説明する。
【００６２】
図６に示すように、散水板形成部材１６０の下面の中央領域Ａを取り囲む円環状の第１散水領域Ｂ６には、複数の第１散水孔１６４ａが形成される。また、第１散水領域Ｂ６を取り囲む円環状の第２散水領域Ｂ８には、複数の第２散水孔１６４ｂが形成される。このように構成されたこの変形例においても、上述した本発明の一実施形態と同様に、山型水流Ｗｍを形成し、放射状に吐水される第２散水孔１６４ｂからの放射シャワー吐水Ｗｅが山型水流Ｗｍに着水することで押し流され、水はねが生じることを抑制することができる。
【００６３】
また、この変形例においては、複数の第２散水孔１６４ｂが複数の第１散水孔１６４ａの外側に形成されるため、第１散水孔１６４ａが吐水する水と第２散水孔１６４ｂが吐水する水とが互いにぶつかり合うことが抑制される。そのため、水がぶつかり合って飛散することを抑制することができる。また、第２散水孔１６４ｂが吐水する水の方向をより散水板形成部材１６０の中心軸Ｒから離れる方向に構成することができ、より広い範囲にシャワー吐水を行うことができる。
【符号の説明】
【００６４】
１００…シャワー装置
１２０…シャワーヘッド
１４０…吐水部
１６０…散水板形成部材
１６２…ストレート吐水部
１６４…散水孔
１６５…散水孔列
１６５ａ…外側散水孔列
１６５ｂ…内側散水孔列
１６４ａ…第１散水孔
１６４ａ１…小径散水孔
１６４ａ２…大径散水孔
１６４ｂ…第２散水孔
１６６…外筒部
１６８…内筒部
１８０…切替部材
２００…立壁部
４００…洗面ボウル底面
Ａ…中央領域
Ｂ…外周領域
Ｂ２、Ｂ６…第１散水領域
Ｂ４、Ｂ８…第２散水領域
Ｒ…中心軸
Ｗｓ１…小径ストレートシャワー吐水
Ｗｓ２…大径ストレートシャワー吐水
Ｗｅ…放射シャワー吐水
Ｗｍ…山型水流
【図１】
2014211036.tif 000003
【図２】
2014211036.tif 000004
【図３】
2014211036.tif 000005
【図４】
2014211036.tif 000006
【図６】
2014211036.tif 000007
【図５】
2014211036.tif 000008